(57)【特許請求の範囲】
【請求項１】
無線通信媒体を介して複数の無線通信装置の少なくとも１つのグループと通信する無線通信ユニットを有し、
前記無線通信ユニットは、該無線通信ユニットが２又はそれ以上の異なる無線通信伝送を前記グループの２又はそれ以上の無線通信装置へ夫々同時に送信する時間期間に、前記無線通信媒体をリザーブし、
前記無線通信ユニットは、前記グループの前記２又はそれ以上の無線通信装置が、重なり合わない時間期間の間に、前記無線通信ユニットからの前記２又はそれ以上の異なる無線通信伝送に応答する応答順序を、前記グループの前記２又はそれ以上の無線通信装置に知らせる、
装置。
【請求項２】
前記無線通信ユニットは、少なくとも１つのＲＴＳパケットを前記グループの１又はそれ以上の無線通信装置へ送信することによって、前記無線通信媒体をリザーブし、
前記ＲＴＳパケットは、リザーブされる前記時間期間に対応する継続期間値を含む、
請求項１に記載の装置。
【請求項３】
前記ＲＴＳパケットは、前記複数の無線通信装置の前記グループへ割り当てられるアドレスを含む、
請求項２に記載の装置。
【請求項４】
前記無線通信ユニットは、前記ＲＴＳパケットに応答して、前記２又はそれ以上の無線通信装置から２又はそれ以上のＣＴＳパケットを受信した後に前記２又はそれ以上の無線通信装置へ前記伝送を送信する、
請求項２又は３に記載の装置。
【請求項５】
前記無線通信ユニットは、２又はそれ以上のＣＴＳパケットを同時に受信する、
請求項４に記載の装置。
【請求項６】
前記２又はそれ以上のＣＴＳパケットは同一である、
請求項５に記載の装置。
【請求項７】
前記無線通信ユニットは、データパケットを前記グループの少なくとも１つの無線通信装置へ送信することによって、前記無線通信媒体をリザーブし、
前記データパケットは、リザーブされる前記時間期間に対応する存続期間値を含む、
請求項１乃至６のうちいずれか一項に記載の装置。
【請求項８】
前記無線通信ユニットは、少なくとも１つのビームフォーミング・トレーニング開始フレームを前記複数の無線通信装置の前記グループへ送信し、
前記無線通信ユニットは、２又はそれ以上のフィードバックフレームを前記２又はそれ以上の無線通信装置から受信し、
前記無線通信ユニットは、前記２又はそれ以上のフィードバックフレームに基づき２又はそれ以上のビームフォーミング方式を決定し、
前記無線通信ユニットは、前記２又はそれ以上のビームフォーミング方式を夫々用いて、前記２又はそれ以上の異なる無線通信伝送を前記２又はそれ以上の無線通信装置へ夫々送信する、
請求項１乃至７のうちいずれか一項に記載の装置。
【請求項９】
前記無線通信ユニットは、前記複数の無線通信装置の前記グループへ割り当てられるアドレスを含む前記開始フレームを送信する、
請求項８に記載の装置。
【請求項１０】
前記無線通信ユニットは、ＳＤＭＡ方式に従って前記２又はそれ以上の異なる無線通信伝送を送信する、
請求項１乃至９のうちいずれか一項に記載の装置。
【請求項１１】
前記無線通信媒体は、ＣＳＭＡ／ＣＡ方式に従って動作する、
請求項１乃至１０のうちいずれか一項に記載の装置。
【請求項１２】
無線通信ユニットによって時間期間に無線通信媒体をリザーブするステップと、
無線通信装置のグループの中の２又はそれ以上の無線通信装置に、該２又はそれ以上の無線通信装置が、重なり合わない時間期間の間に、前記無線通信ユニットからの２又はそれ以上の異なる無線通信伝送に応答する応答順序を知らせるステップと、
リザーブされる前記時間期間の間、前記２又はそれ以上の異なる無線通信伝送を前記無線通信ユニットから前記２又はそれ以上の無線通信装置へ夫々同時に送信するステップと
を有する方法。
【請求項１３】
前記無線通信媒体をリザーブする前記ステップは、少なくとも１つのＲＴＳパケットを前記グループの１又はそれ以上の無線通信装置へ送信することを含み、
前記ＲＴＳパケットは、リザーブされる前記時間期間に対応する存続期間値を含む、
請求項１２に記載の方法。
【請求項１４】
前記ＲＴＳパケットは、前記複数の無線通信装置の前記グループへ割り当てられるアドレスを含む、
請求項１３に記載の方法。
【請求項１５】
前記ＲＴＳパケットに応答して、前記２又はそれ以上の無線通信装置から２又はそれ以上のＣＴＳパケットを受信した後に前記２又はそれ以上の無線通信装置へ前記伝送を送信するステップ
を有し、
前記２又はそれ以上のＣＴＳパケットは同一である、請求項１３又は１４に記載の方法。
【請求項１６】
前記無線通信媒体をリザーブする前記ステップは、前記グループの少なくとも１つの無線通信装置へデータパケットを送信することを含み、
前記データパケットは、リザーブされる前記時間期間に対応する存続期間値を含む、
請求項１２に記載の方法。
【請求項１７】
少なくとも１つのビームフォーミング・トレーニング開始フレームを前記無線通信ユニットから前記複数の無線通信装置の前記グループへ送信するステップと、
前記無線通信ユニットで２又はそれ以上のフィードバックフレームを前記２又はそれ以上の無線通信装置から受信するステップと、
前記２又はそれ以上のフィードバックフレームに基づき２又はそれ以上のビームフォーミング方式を決定するステップと、
前記２又はそれ以上のビームフォーミング方式を夫々用いて、前記２又はそれ以上の異なる無線通信伝送を前記２又はそれ以上の無線通信装置へ夫々送信するステップと
を有する請求項１２乃至１６のうちいずれか一項に記載の方法。
【請求項１８】
無線通信媒体を介して複数の他の無線通信装置のグループと通信する無線通信装置を有し、
前記無線通信装置は、
１又はそれ以上のアンテナと、
時間期間に前記無線通信媒体をリザーブする無線通信ユニットと
を有し、
前記時間期間の間に、前記無線通信ユニットは、２又はそれ以上の異なる無線通信伝送を前記グループの２又はそれ以上の無線通信装置へ夫々同時に送信し、
前記無線通信ユニットは、前記グループの前記２又はそれ以上の無線通信装置が、重なり合わない時間期間の間に、前記無線通信ユニットからの前記２又はそれ以上の異なる無線通信伝送に応答する応答順序を、前記グループの前記２又はそれ以上の無線通信装置に知らせる、
無線通信システム。
【請求項１９】
前記無線通信装置は、少なくとも１つのＲＴＳパケットを前記グループの１又はそれ以上の無線通信装置へ送信することによって、前記無線通信媒体をリザーブし、
前記ＲＴＳパケットは、リザーブされる前記時間期間に対応する存続期間値を含む、
請求項１８に記載の無線通信システム。
【請求項２０】
前記無線通信装置は、データパケットを前記グループの少なくとも１つの無線通信装置へ送信することによって、前記無線通信媒体をリザーブし、
前記データパケットは、リザーブされる前記時間期間に対応する存続期間値を含む、
請求項１８に記載の無線通信システム。
【発明の詳細な説明】
【背景技術】
【０００１】
空間分割多重アクセス（Spatial  Division  Multiple  Access）（ＳＤＭＡ）通信方式は、無線通信装置と複数の他の無線通信装置との間の通信のために実施されてよい。無線通信装置は、アンテナの組み合わせにより略同時に異なる信号を送信することによって、ダウンリンクＳＤＭＡ伝送を送信してよい。複合伝送信号は、複数の無線通信装置によって受信される異なる信号が同じ周波数で実質的に異なる方向において送信されることをもたらす。
【０００２】
無線通信装置は、複数の他の無線通信装置からの異なる信号を含むアップリンクＳＤＭＡ伝送を受信してよい。
【図面の簡単な説明】
【０００３】
【図１】幾つかの実施例に従うシステムの略ブロック図である。
【図２】幾つかの実施例に従う、無線通信装置と他の無線通信装置のグループとの間の送信のシーケンスの略図である。
【図３】幾つかの実施例に従う、無線通信装置と他の無線通信装置のグループとの間の送信の他のシーケンスの略図である。
【図４】幾つかの実施例に従う、無線通信装置のグループと同時に通信する方法の略フローチャートである。
【図５】幾つかの実施例に従う製品の略図である。
【発明を実施するための形態】
【０００４】
例示の簡単さ及び明りょうさのために、図中に示される要素は必ずしも実寸通りではない。例えば、幾つかの要素の寸法は、提示の明りょうさのために、他の要素に対して誇張されることがある。さらに、参照符号は、対応する又は同じ要素を示すために図間で繰り返し用いられることがある。
【０００５】
以下の詳細な記載では、多数の具体的な詳細が、幾つかの実施形態の完全な理解を提供するために説明されている。なお、当業者には当然に、幾つかの実施形態は、それらの具体的な詳細によらずに実施されてよい。他の場合において、従来の方法、プロシージャ、コンポーネント、ユニット及び／又は回路は、議論を不明りょうにしないように詳細には記載されていない。
【０００６】
例えば、「処理する」（processing）、「計算する」（computing）、「計算する」（calculating）、「確立する」（establishing）、「分析する」（analyzing）、「確認する」（checking）等の語を用いる本願における議論は、コンピュータのレジスタ及び／又はメモリ内の、物理的な（例えば、電子的な）量として表されるデータを、コンピュータのレジスタ及び／又はメモリ、及び／又は演算及び／又は処理を実行する命令を記憶することができる他の情報記憶媒体内の、物理的な量として同様に表される他のデータへと処理及び／又は変換するコンピュータ、コンピュータプラットフォーム、コンピュータシステム、あるいは他の電子計算装置の演算及び／又は処理に言及してよい。
【０００７】
本願で使用される語「複数」及び「多数」（plurality、a  plurality）は、例えば、「多数」（multiple）又は「２又はそれ以上（２以上）」（two  or  more）を含む。例えば、「複数の事項」は２又はそれ以上の事項を含む。
【０００８】
幾つかの実施形態は、様々な装置及びシステム、例えば、パーソナルコンピュータ（ＰＣ）、デスクトップコンピュータ、モバイルコンピュータ、ラップトップコンピュータ、ノートブックコンピュータ、タブレットコンピュータ、サーバコンピュータ、携帯型コンピュータ、携帯機器、パーソナルデジタルアシスタント（ＰＤＡ）装置、携帯型ＰＤＡ装置、オンボード装置、オフボード装置、複合型装置、車両用装置、非車両用装置、モバイル又はポータブル装置、コンシューマ装置、非モバイル又は非ポータブル装置、無線通信局、無線通信装置、無線アクセスポイント（ＡＰ）、有線又は無線ルータ、有線又は無線モデム、ビデオ装置、オーディオ装置、オーディオ−ビデオ（Ａ／Ｖ）装置、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、ブロードキャストＨＤレシーバ、ビデオソース、オーディオソース、ビデオシンク、オーディオシンク、ステレオチューナ、ブロードキャスト無線受信器、フラットパネルディスプレイ、パーソナルメディアプレーヤ（ＰＭＰ）、デジタルビデオカメラ（ＤＶＣ）、デジタルオーディオプレーヤ、スピーカ、オーディオ受信器、オーディオ増幅器、ゲーム機器、データソース、データシンク、デジタルスチルカメラ（ＤＳＣ）、有線又は無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）、既存のＩＥＥＥ８０２．１１（ＩＥＥＥ８０２．１１−１９９９：Wireless  LAN  Medium  Access  Control  (MAC)  and  Physical  Layer  (PHY)  Specification）、８０２．１１ａ、８０２．１１ｂ、８０２．１１ｇ、８０２．１１ｈ、８０２．１１ｊ、８０２．１１ｎ、８０２．１１タスクグループアド（task  group  ad）（ＴＧａｄ）、８０２．１６、８０２．１６ｄ、８０２．１６ｅ、８０２．１６ｆ標準規格及び／又はその将来のバージョン及び／又は派生物に従って動作する装置及び／又はネットワーク、既存のワイヤレス・ギガビット・アライアンス（Wireless-Gigabit-Alliance）（ＷＧＡ）及び／又はＷｉｒｅｌｅｓｓＨＤ仕様及び／又はその将来のバージョン及び／又は派生物に従って動作する装置及び／又はネットワーク、上記のネットワークの一部であるユニット及び／又は装置、単一方向及び／又は双方向無線通信システム、セルラー無線電話通信システム、セルラー電話、無線電話、パーソナルコミュニケーションシステム（ＰＣＳ）装置、無線通信装置を組み込むＰＤＡ装置、モバイル又はポータブル全地球測位システム（ＧＰＳ）装置、ＧＰＳ受信器若しくはトランシーバ又はチップを組み込む装置、ＲＦＩＤ素子又はチップを組み込む装置、多入力多出力（ＭＩＭＯ）トランシーバ又は装置、単入力多出力（ＳＩＭＯ）トランシーバ又は装置、多入力単出力（ＭＩＳＯ）トランシーバ又は装置、１以上の内部アンテナ及び／又は外部アンテナを有する装置、デジタルビデオブロードキャスト（ＤＶＢ）装置又はシステム、���ルチスタンダード無線装置又はシステム、有線又は無線携帯機器（例えば、ＢｌａｃｋＢｅｒｒｙ、Ｐａｌｍ  Ｔｒｅｏ）、無線アプリケーションプロトコル（ＷＡＰ）装置、等とともに、使用されてよい。
【０００９】
幾つかの実施形態は、１以上のタイプの無線通信信号及び／又はシステム、例えば、無線周波数（ＲＦ）、赤外線（ＩＲ）、周波数分割多重化（ＦＤＭ）、直交ＦＤＭ（ＯＦＤＭ）、時分割多重化（ＴＤＭ）、時分割多重アクセス（ＴＤＭＡ）、拡張ＴＤＭＡ（Ｅ−ＴＤＭＡ）、汎用パケット無線サービス（ＧＰＲＳ）、拡張ＧＰＲＳ、符号分割多重アクセス（ＣＤＭＡ）、広帯域ＣＤＭＡ（ＷＣＤＭＡ）、ＣＤＭＡ２０００、シングルキャリアＣＤＭＡ、マルチキャリアＣＤＭＡ、マルチキャリア変調（ＭＤＭ）、離散マルチトーン（ＤＭＴ）、ブルートゥース、全地球測位システム（ＧＰＳ）、Ｗｉ−Ｆｉ、Ｗｉ−ＭＡＸ、ＺｉｇＢｅｅ、超広帯域（ＵＷＢ）、モバイル通信用グローバルシステム（ＧＳＭ（登録商標））、２Ｇ、２．５Ｇ、３Ｇ、３．５Ｇ、ＧＳＭ（登録商標）用エンハンスドデータレート（ＥＤＧＥ）エボリューション、等とともに、使用されてよい。他の実施形態は、様々な他の装置、システム及び／又はネットワークにおいて使用されてよい。
【００１０】
本願で使用される語「無線装置」（wireless  device）は、例えば、無線通信可能な装置、無線通信可能な通信装置、無線通信可能な通信局、無線通信可能なポータブル又は非ポータブル装置、等を含む。幾つの実施例において、無線装置は、コンピュータと一体化される周辺機器、又はコンピュータに取り付けられる周辺機器を含んでも又は含まなくてもよい。幾つかの実施例において、語「無線装置」は任意に無線サービスを含んでよい。
【００１１】
２以上の異なる無線通信装置への送信及び／又は２以上の無線通信装置からの受信を参照して本願で使用される語「略同時に」（substantially  simultaneously）は、夫々の送信及び／又は受信の少なくとも一部が同時に起こる２以上の伝送の送信及び／又は受信に言及してよいが、異なる送信及び／又は受信が同時に開始及び／又は終了しなければならないことを示唆するわけではない。
【００１２】
幾つかの実施例は、適切な有限範囲又は短距離の無線通信ネットワーク、例えば、無線エリアネットワーク、ピコネット（piconet）、ＷＰＡＮ、ＷＶＡＮ、等とともに、使用されてよい。他の実施形態は、あらゆる他の適切な無線通信ネットワークとともに使用されてよい。
【００１３】
幾つかの実施例は、６０ＧＨｚの周波数帯域にわたって通信する無線通信ネットワークとともに使用されてよい。なお、他の実施形態は、あらゆる他の適切な無線通信周波数バンド、例えば、極超短波（ＥＨＦ）帯域（ミリメートル波（ミリ波）周波数帯域）（例えば、３０ＧＨｚから３００ＧＨｚの間の周波数帯域内の周波数帯域）、ＷＬＡＮ周波数帯域、ＷＰＡＮ周波数帯域、ＩＥＥＥ８０２．１１、ＩＥＥＥ８０２．１１ＴＧａｄ及び／又はＷＧＡ仕様に従う周波数帯域、等を用いて、実施されてよい。
【００１４】
ここで、図１を参照する。図１は、幾つかの実施例に従うシステム１００のブロック図を概略的に表す。
【００１５】
図１において示されるように、幾つかの実施例において、システム１００は、コンテンツデータ、情報及び／又は信号を無線通信媒体を介して、例えば、１又はそれ以上の適切な無線通信リンク（例えば、無線チャネル、ＩＲチャネル、ＲＦチャネル、無線フィデリティ（Ｗｉ−Ｆｉ）チャネル、等）を介してやり取りすることができる１又はそれ以上の無線通信装置、例えば、無線通信装置１０２、１０４、１０６、１０７及び／又は１０８を含む無線通信ネットワークを含んでよい。システム１００の１又はそれ以上の要素は、任意に、あらゆる適切な有線通信リンクにわたる通信が可能であってよい。
【００１６】
幾つかの実施例において、無線通信装置１０２、１０４、１０６、１０７及び／又は１０８は、例えば、ＰＣ、デスクトップコンピュータ、モバイルコンピュータ、ラップトップコンピュータ、ノートブックコンピュータ、タブレットコンピュータ、サーバコンピュータ、携帯型コンピュータ、携帯機器、ＰＤＡ装置、携帯型ＰＤＡ装置、オンボード装置、オフボード装置、複合型装置（例えば、携帯電話機能をＰＤＡ装置機能と組み合わせたもの）、コンシューマ装置、車両用装置、非車両用装置、モバイル又はポータブル装置、非モバイル又は非ポータブル装置、携帯電話、ＰＣＳ装置、無線通信装置を組み込むＰＤＡ装置、モバイル又はポータブルＧＰＳ装置、ＤＶＢ装置、比較的小さなコンピュータ装置、非デスクトップ型コンピュータ、ＣＳＬＬ（Carry  Small  Live  Large）装置、ウルトラモバイル装置（ＵＭＤ）、ウルトラモバイルＰＣ（ＵＭＰＣ）、モバイルインターネット装置（ＭＩＤ）、オリガミ（Origami）装置又はコンピュータ装置、ＤＣＣ（Dynamically  Composable  Computing）、コンテクスト・アウェア（context-aware）装置、ビデオ装置、オーディオ装置、Ａ／Ｖ装置、ＳＴＢ、ＢＤプレーヤ、ＢＤレコーダ、ＤＶＤプレーヤ、ＨＤ  ＤＶＤプレーヤ、ＤＶＤレコーダ、ＨＤ  ＤＶＤレコーダ、ＰＶＲ、ブロードキャストＨＤ受信器、ビデオソース、オーディオソース、ビデオシンク、オーディオシンク、ステレオチューナ、ブロードキャスト無線受信器、フラットパネルディスプレイ、ＰＭＰ、ＤＶＣ、デジタルオーディオプレーヤ、スピーカ、オーディオ受信器、ゲーム機器、オーディオ増幅器、データソース、データシンク、ＤＳＣ、メディアプレーヤ、スマートフォン、テレビ受像機、音楽プレーヤ、等を含んでよい。
【００１７】
幾つかの実施例において、無線通信装置１０２は、例えば後述されるように無線通信装置１０４、１０６、１０７及び／又は１０８、あるいは１又はそれ以上の無線通信装置との無線通信を実行するよう、無線通信ユニット１１２を有してよい。無線通信装置１０２は、例えば、プロセッサ１１４、入力ユニット１１６、出力ユニット１１８、メモリユニット１２０、及び記憶ユニット１２２のうち１又はそれ以上をさらに有してよい。無線通信装置１０２は、任意に、他の適切なハードウェアコンポーネント及び／又はソフトウェアコンポーネントを有してよい。実施例において、無線通信装置１０２のコンポーネントの幾つか又は全ては、共通の筐体又はパッケージングに入れられてよく、１又はそれ以上の有線又は無線リンクを用いて相互接続され又は任意に関連付けられてよい。他の実施形態では、無線通信装置１０２のコンポーネントは、複数の又は別々の装置の間で分配されてよい。
【００１８】
プロセッサ１１４は、例えば、中央演算処理装置（ＣＰＵ）、デジタル信号プロセッサ（ＤＳＰ）、１又はそれ以上のプロセッサコア、シングルコア・プロセッサ、デュアルコア・プロセッサ、多重コア・プロセッサ、マイクロプロセッサ、ホストプロセッサ、コントローラ、複数のプロセッサ又はコントローラ、チップ、マイクロチップ、１又はそれ以上の回路、回路構成、論理ユニット、集積回路（ＩＣ）、特定用途向けＩＣ（ＡＳＩＣ）、あるいは、あらゆる他の適切な多目的の又は特定のプロセッサ又はコントローラを含む。プロセッサ１１４は、例えば、無線通信装置１０２のオペレーティングシステム（ＯＳ）の、及び／又は１以上の適切なアプリケーションの命令を実行する。
【００１９】
入力ユニット１１６は、例えば、キーボード、キーパッド、マウス、タッチパッド、トラックボール、スタイラス、マイクロフォン、又は他の適切なポインティング装置若しくは入力装置を含む。出力ユニット１１８は、例えば、モニタ、スクリーン、フラットパネルディスプレイ、陰極線管（ＣＲＴ）ディスプレイユニット、液晶ディスプレイ（ＬＣＤ）ディスプレイユニット、プラズマディスプレイユニット、１以上のオーディオスピーカ又はイヤフォン、あるいは、他の適切な出力装置を含む。
【００２０】
メモリユニット１２０は、例えば、ランダムアクセスメモリ（ＲＡＭ）、読出専用メモリ（ＲＯＭ）、動的ＲＡＭ（ＤＲＡＭ）、同期ＤＲＡＭ（ＳＤＲＡＭ）、フラッシュメモリ、揮発性メモリ、非揮発性メモリ、キャッシュメモリ、バッファ、ショートターム・メモリユニット、ロングターム・メモリユニット、又は他の適切なメモリユニットを含む。記憶ユニット１２２は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、又は他の適切なリムーバブル若しくは非リムーバブル記憶ユニットを含む。メモリユニット１２０及び／又は記憶ユニット１２２は、例えば、無線通信装置１０２が持つデータを記憶してよい。
【００２１】
幾つかの実施例において、無線通信ユニット１１２は、例えば、無線通信信号、ＲＦ信号、フレーム、ブロック、伝送ストリーム、パケット、メッセージ、データ項目及び／又はデータを送信及び／又は受信することができる１以上の無線送信器、受信器及び／又はトランシーバを含む。例えば、無線通信ユニット１１２は、無線ネットワークインターフェースカード（ＮＩＣ）等の一部を有してよく、又はその一部であってよい。
【００２２】
無線通信ユニット１１２は、１又はそれ以上のアンテナ１２４を有してよく、あるいは、アンテナ１２４と関連付けられてよい。アンテナ１２４は、例えば、内部及び／又は外部ＲＦアンテナ、ダイポールアンテナ、モノポールアンテナ、無指向性アンテナ、エンドフェッド（end  fed）アンテナ、円偏波（circularly  polarized）アンテナ、マイクロストリップアンテナ、ダイバーシティアンテナ、又は無線通信信号、ブロック、フレーム、伝送ストリーム、パケット、メッセージ及び／又はデータを送信及び／又は受信するのに適した他のタイプのアンテナを含んでよい。
【００２３】
幾つかの実施例において、システム１００の無線通信装置は、何らかの適切なアクセス方式、例えば、適切なコンテンションに基づくアクセス方式（例えば、ランダムアクセス方式）に従う無線通信媒体１１０を介して通信してよい。例えば、システム１００は、無線ネットワーク、例えば、中央調整（central  coordination）を必要とすることなしに１以上の他のネットワークとの共存を可能にするために、ランダムアクセス方式に従って動作することができる無線ネットワーク、例えば、無許可の周波数帯域を介して通信する無線ローカルエリアネットワーク（ＬＡＮ）を含んでよい。コンテンションに基づく方式は、例えば、ＩＥＥＥ８０２．１１標準規格及び／又はあらゆる他の適切な標準規格に従う何らかの適切なキャリアセンス多重アクセス（ＣＳＭＡ）方式、例えば、何らかの適切なコリジョン回避機構付きＣＳＭＡ（ＣＳＭＡ／ＣＡ）を含んでよい。
【００２４】
幾つかの実施例において、システム１００の少なくとも１つの無線通信装置、例えば、無線通信装置１０２は、アクセスポイント（ＡＰ）、制御ポイント（ＣＰ）、基地局（ＢＳ）又はあらゆる適切なコーディネータ若しくはコントローラ（例えば、ＩＥＥＥ８０２．１１及び／又はＷＧＡ仕様によって定義されるもの）の機能を実行してよい。
【００２５】
幾つかの実施例において、無線通信ユニット１１２は、システム１００の２以上の他の装置へ伝送を同時に送信すること及び／又はシステム１００の２以上の他の装置から伝送を同時に受信することが可能であってよい。
【００２６】
幾つかの実施形態において、無線通信ユニット１１２は、空間分割多重アクセス（ＳＤＭＡ）通信を実行することが可能であってよい。例えば、無線通信ユニット１１２は、アンテナ１２４を介して略同時に異なる信号を送信することによってダウンリンクＳＤＭＡ伝送を送信してよく、それにより、複合伝送信号は、システム１００の２以上の他の無線通信装置によって受信されるよう意図される異なった信号が同じ周波数で実質的に異なる方向において送信されることをもたらす。
【００２７】
幾つかの実施例において、無線通信ユニット１１２は、システム１００の２以上の他の装置からの異なった信号を含むアップリンクＳＤＭＡ伝送を受信してよい。
【００２８】
幾つかの実施例において、無線通信ユニット１１２は、例えば以下で詳細に記載されるように、システム１００の複数の無線通信装置の少なくとも１つのグループ１３０と媒体１１０を介して通信してよい。
【００２９】
幾つかの実施例において、グループ１３０は、複数の無線通信装置、例えば、無線通信装置１０４、１０６及び／又は１０７を有してよい。これらの無線通信装置は、無線通信ユニット１１２との同時のダウンリンク及び／又はアップリンク無線通信に適している。例えば、グループ１３０は、例えば後述されるように、無線通信ユニット１１２との、例えば装置１０２へのアップリンク方向及び／又は装置１０２からのダウンリンク方向における単一方向の、及び／又は双方向の通信に適した装置のＳＤＭＡグループを含んでよい。
【００３０】
幾つかの実施例において、グループ１３０の無線通信装置は、何らかの適切な基準、例えば、１又はそれ以上のトラフィック仕様（ＴＳＰＥＣ）要件（例えば、サービス品質（ＱｏＳ）要求、帯域幅要求、トラフィックパターン要求、等）及び／又はあらゆる他の適切な要件及び／又はパラメータに従って、例えば無線通信ユニット１１２によって、グループにまとめられてよい。
【００３１】
幾つかの実施例において、無線通信ユニット１１２は、アド・トラフィック・ストリーム（Add  Traffic  Stream）（ＡＤＤＴＳ）リクエストフレームの一部として無線通信装置１０４、１０６及び／又は１０７に対応するＴＳＰＥＣ情報を受信することが可能であってよい。無線通信装置から受信されるＡＤＤＲＳフレームは、適切なＴＳＰＥＣ情報エレメント（Information  Element）（ＩＥ）及び／又はフィールドを含んでよく、これらは、無線通信装置に対応するＴＳＰＥＣ情報を含んでよい。他の実施形態では、無線通信ユニット１１２は、あらゆる他の適切なフレーム及び／又は通信の一部として、及び／又はあらゆる他の適切なフォーマットにおいて、ＴＳＰＥＣ情報を受信してよい。
【００３２】
幾つかの実施例において、無線通信ユニット１１２によって受信される無線通信装置に対応するＴＳＰＥＣ情報は、無線通信装置と無線通信ユニット１１２との間のトラフィックフローを定義するトラフィックフロー情報を含んでよい。無線通信装置に対応するＴＳＰＥＣ情報は、例えば、トラフィックフローのトラフィックパターン、トラフィックフローのＱｏＳ、及び／又はトラフィックフローのあらゆる他の一連の要求、パラメータ、特性及び／又は期待値のうち１又はそれ以上を含んでよい。例えば、無線通信ユニット１１２は、無線通信装置１０４と無線通信ユニット１１２との間のトラフィックフローを定義するトラフィックフロー情報（例えば、トラフィックパターン及び／又はＱｏＳを含む無線通信装置１０４からの第１のＡＤＤＲＳフレーム）、無線通信装置１０６と無線通信ユニット１１２との間のトラフィックフローを定義するトラフィックフロー情報（例えば、トラフィックパターン及び／又はＱｏＳを含む無線通信装置１０６からの第２のＡＤＤＲＳフレーム）、及び／又は無線通信装置１０７と無線通信ユニット１１２との間のトラフィックフローを定義するトラフィックフロー情報（例えば、トラフィックパターン及び／又はＱｏＳを含む無線通信装置１０７からの第３のＡＤＤＲＳフレーム）を受信してよい。
【００３３】
幾つかの実施例において、無線通信装置から無線通信ユニット１１２によって受信されるＴＳＰＥＣ情報は、無線通信装置と無線通信ユニット１１２との間のトラフィックフローの方向性を含んでよい。トラフィックフローの方向性は、例えばトラフィックフローのトラフィックパターンに基づき、決定されてよい。例えば、トラフィックフローの方向性は、例えば無線通信装置から無線通信ユニット１１２へのアップリンク伝送を含むアップリンク・トラフィックフロー、例えば無線通信ユニット１１２から無線通信装置へのダウンリンク伝送を含むダウンリンク・トラフィックフロー、又は例えばアップリンク伝送及びダウンリンク伝送の両方を含む双方向トラフィックフローを含んでよい。
【００３４】
幾つかの実施例において、トラフィックフローのＱｏＳは、例えば、一定レベルの性能を保証するトラフィックフローの優先タイプを表すＱｏＳパラメータを含んでよい。トラフィックフローの優先タイプは、例えば所定の優先タイプの組から、選択されてよい。一例において、トラフィックフローのＱｏＳは、例えば８０２．１１標準規格及び／又はあらゆる他の適切な標準規格によって定義されるような、４つの所定の優先タイプ（例えば、ビデオ優先タイプ、オーディオ（音声）優先タイプ、ベストエフォート（best  effort）優先タイプ及びバックグラウンド優先タイプ）の組から選択されてよい。
【００３５】
幾つかの実施例において、無線通信装置に対応するトラフィックフローは、例えばトラフィックフローが時間依存のトラフィックフロー（例えば、ビデオ及び／又は音声データを含む。）を含む場合には、アイソクロノス（isochronous）トラフィックフローとして、及び／又は、例えばトラフィックフローが時間に依存しない場合（例えば、トラフィックフローがビデオ又は音声データを含まない場合）には、非同期トラフィックフローとして、分類されてよい。
【００３６】
幾つかの実施例において、無線通信ユニット１１２は、無線通信装置１０４、１０６及び／又は１０７に対応するトラフィックフローの分類及び／又は方向性に基づき、無線通信装置１０４、１０６及び／又は１０７を１又はそれ以上のグループ（例えば、グループ１３０を含む。）へ割り当ててよい。
【００３７】
幾つかの実施例において、無線通信ユニット１１２は、無線通信装置１０４、１０６及び／又は１０７をアップリンク・アイソクロノスグループ、ダウンリンク・アイソクロノスグループ、双方向アイソクロノスグループ、及び／又は双方向非同期グループへ割り当ててよい。他の実施形態では、無線通信ユニット１１２は、無線通信装置１０４、１０６及び／又は１０７をその他の適切なグループへ割り当ててよい。
【００３８】
幾つかの実施例において、無線通信ユニット１１２は、無線通信装置１０４、１０６及び１０７の中の無線通信装置を、例えば、その無線通信装置に対応するＴＳＰＥＣ情報がビデオ及び音声データのうち少なくとも１つを含むアップリンク・トラフィックパターンを表す場合には、アップリンク・アイソクロノスグループへ割り当ててよい。無線通信ユニット１１２は、無線通信装置を、その無線通信装置に対応するＴＳＰＥＣ情報がビデオ及び音声データのうち少なくとも１つを含むダウンリンク・トラフィックパターンを表す場合には、ダウンリンク・アイソクロノスグループへ割り当ててよい。無線通信ユニット１１２は、無線通信装置を、その無線通信装置に対応するＴＳＰＥＣ情報がビデオ及び音声データのうち少なくとも１つを含む双方向トラフィックパターンを表す場合には、双方向アイソクロノスグループへ割り当ててよい。且つ／あるいは、無線通信ユニット１１２は、無線通信装置を、その無線通信装置に対応するＴＳＰＥＣ情報が他のトラフィックパターンを表す場合には、双方向非同期グループへ割り当ててよい。
【００３９】
幾つかの実施形態は、無線通信装置をその無線通信装置に対応するＴＳＰＥＣ情報に基づくグループへ割り当てることに関して本願では記載されているが、他の実施形態は、あらゆる他の適切な基準に基づくグループへ割り当てられる１又はそれ以上の無線通信装置を含んでよい。
【００４０】
幾つかの実施例において、無線通信ユニット１１２は、無線通信装置１０４、１０６及び１０７をグループ１３０へ割り当て、無線通信装置１０４、１０６及び／又は１０７へグループ１３０を定義する及び／又はグループ１３０に関連する適切なグループ割当情報を提供してよい。
【００４１】
幾つかの実施例において、無線通信ユニット１１２は、グループ１３０へ無線通信アドレス（「グループアドレス」又は「マルチキャストアドレス」とも呼ばれる。）を割り当ててよい。グループ１３０へ割り当てられるグループアドレスは、例えば、無線通信ユニット１１２によって制御及び／又は管理される基本サービスセット（Basic-Service-Set）（ＢＳＳ）及び／又はシステム１００内で一様に割り当てられうる適切なメディアアクセスコントロール（Media-Access-Control）（ＭＡＣ）アドレスを含んでよい。
【００４２】
幾つかの実施例において、無線通信ユニット１１２は、例えば、何らかの適切な伝送、フレーム及び／又はパケットを用いて、グループ１３０へ割り当てられるグループアドレスを無線通信装置１０４、１０６及び／又は１０７に知らせてよい。例えば、無線通信ユニット１１２は、１又はそれ以上のユニキャストフレーム（例えば、無線通信装置１０４へアドレッシングされる第１のグループ割り当てフレーム、無線通信装置１０６へアドレッシングされる第２のグループ割り当てフレーム、及び／又は無線通信装置１０７へアドレッシングされる第３のグループ割り当てフレーム）を無線通信装置１０４、１０６及び／又は１０７へ送信してよい。第１、第２及び第３のグループ割り当てフレームは、例えば、グループ１３０のグループアドレスを含んでよい。
【００４３】
幾つかの実施例において、無線通信ユニット１１２は、無線通信装置１０４、１０６及び／又は１０７が無線通信ユニット１１２からの伝送に応答する順序を、例えば何らかの適切な基準に基づき、決定してよい。それにより、無線通信装置１０４、１０６及び１０７は、例えば後述されるように、重なり合わない時間期間の間に応答することができる。例えば、無線通信ユニット１１２は、無線通信装置１０６が、無線通信ユニット１１２からの伝送後の第１のオフセット時間に無線通信ユニット１１２からの伝送に応答し、無線通信装置１０４が、無線通信ユニット１１２からの伝送後の第１のオフセット時間よりも長い第２のオフセット時間に無線通信ユニット１１２からの伝送に応答し、及び／又は無線通信装置１０７が、無線通信ユニット１１２からの伝送後の第２のオフセット時間よりも長い第３のオフセット時間に無線通信ユニット１１２からの伝送に応答する、と決定してよい。第２及び第１のオフセット時間の間の差、及び／又は第３及び第２のオフセット時間の間の差は、例えば、無線通信装置１０４、１０６及び１０７が重なり合わない期間の間に応答することができるよう、無線通信装置１０４及び／又は１０６からの応答の存続期間に少なくとも等しくなりうる。
【００４４】
幾つかの実施例において、無線通信ユニット１１２は、例えばグループ割り当てフレームにおいて、必要とされる順序のインジケーションを含んでよい。例えば、グループ割り当てフレームは、例えば適切な関連性識別子（Association  Identifiers）（ＡＩＤｓ）及び／又は適切なＭＡＣアドレスの形で、必要とされる順序に従って無線通信装置１０４、１０６及び１０７を表す値を含んでよい。例えば、グループ割り当てフレームは、例えば、無線通信装置１０６が無線通信装置１０４からの応答よりも前に無線通信ユニット１１２に応答し、次いで、無線通信装置１０４が無線通信装置１０７からの応答よりも前に無線通信ユニット１１２に応答する場合に、無線通信装置１０６のＭＡＣアドレスを表す値と、その後に続く、無線通信装置１０４のＭＡＣアドレスを表す値と、その後に続く、無線通信装置１０７のＭＡＣアドレスを表す値とを含んでよい。
【００４５】
幾つかの実施例において、無線通信装置１０４、１０６及び／又は１０７は夫々、必要とされる順序のインジケーションに基づき、無線通信ユニット１１２に応答すべき順序を決定してよい。
【００４６】
幾つかの実施形態において、無線通信装置１０４、１０６及び／又は１０７は、例えば、無線通信装置１０４、１０６及び／又は１０７が応答の送信をスケジューリングすることを可能にして、無線通信ユニット１１２がそれらの応答を受信することができるようにするために、無線通信ユニット１１２からの伝送のデータレートと等しいデータレートで応答を送信してよい。
【００４７】
他の実施形態において、無線通信装置１０４、１０６及び／又は１０７は、無線通信ユニット１１２との通信のための選択された所定のデータレートで応答を送信してよい。一例において、無線通信装置１０４、１０６及び／又は１０７は、システム１００における通信のために実施されるデータレートの所定の組（例えば、８０２．１１標準規格によって定義されるＢＳＳＢａｓｉｃＲａｔｅＳｅｔ）から選択されるデータレートで応答を送信してよい。例えば、無線通信装置１０４、１０６及び／又は１０７は、無線通信ユニット１１２から受信される直前のフレームのレート以下であるＢＳＳＢａｓｉｃＲａｔｅＳｅｔの最大データレートで応答を送信してよい。
【００４８】
幾つかの実施例において、無線通信ユニット１１２は、例えば、グループ１３０を定義する及び／又はグループ１３０に関連する情報を無線通信装置１０４、１０６及び／又は１０７に直接提供することなしに、無線通信装置１０４、１０６及び／又は１０７をグループ１３０へ割り当ててよい。この例に従って、無線通信ユニット１１２は、ダウンリンク伝送をグループ１３０の装置へ同時に送信してよい。一方、例えばグループ１３０の無線通信装置のうち１又はそれ以上がアップリンクＳＤＭＡ伝送を無線通信ユニット１１２へ送信することを求められず及び／又は送信することができない場合に、１又はそれ以上の無線通信装置はグループ１３０内の他の装置への同時の伝送に気付かなくてよい。例えば、無線通信ユニット１１２は、ダウンリンクＳＤＭＡ伝送を無線通信装置（例えば、装置１０７）へ送信してよく、一方、その無線通信装置は、例えば無線通信装置１０７がアップリンクＳＤＭＡ伝送を無線通信ユニット１１２へ送信することを求められず及び／又は送信することができない場合に、ダウンリンク伝送がダウンリンクＳＤＭＡ伝送であるという事実に気付かなくてよい。
【００４９】
幾つかの実施例において、例えば後述されるように、無線通信ユニット１１２は、無線通信ユニット１１２が２又はそれ以上の異なる無線通信伝送をグループ１３０の２又はそれ以上の無線通信装置へ夫々同時に送信する時間期間に、無線通信媒体１１０をリザーブしてよい。
【００５０】
ここで、図２を参照する。図２は、幾つかの実施例に従って、無線通信装置（例えば、無線通信装置１０２（図１）及び／又は無線通信ユニット１１２（図１））と他の無線通信装置のグループ（例えば、グループ１３０（図１））との間の送信のシーケンスを概略的に表す。
【００５１】
図２において示されるように、時間線２０２は、無線通信装置（例えば、無線通信ユニット１１２（図１））による送信を含み、時間線２０４は、グループの第１の無線通信装置（例えば、無線通信装置１０４（図１））による送信を含み、時間線２０６は、グループの第２の無線通信装置（例えば、無線通信装置１０６（図１））による送信を含み、時間線２０８は、グループの第３の無線通信装置（例えば、無線通信装置１０７（図１））による送信を含む。
【００５２】
幾つかの実施例において、無線通信ユニット１１２（図１）は、無線通信ユニット１１２（図１）が２又はそれ以上の異なる無線通信伝送２１４をグループ１３０の２又はそれ以上の無線通信装置へ夫々同時に送信する少なくとも時間期間２１５に、無線通信媒体１１０（図１）をリザーブしてよい。
【００５３】
幾つかの実施例において、伝送２１４は、無線通信装置１０４、１０６及び／又は１０７によって夫々受信されるＤＡＴＡ１、ＤＡＴＡ２及びＤＡＴＡ３によって表される３つの異なるデータパケット、例えば、３つのアグリゲート（aggregate）ＭＡＣプロトコルデータユニット（ＡＭＰＤＵ）を含むＳＤＭＡ伝送の一部として送信されてよい。一例において、３つのデータパケットＤＡＴＡ１、ＤＡＴＡ２及びＤＡＴＡ３は、異なった長さのデータパケットを含んでよい。この例に従って、リザーブされる存続期間２１５は、少なくとも、最も長いデータパケットの長さに対応してよい。
【００５４】
幾つかの実施例において、リザーブされる時間期間２１５は、例えば以下で記載されるように、少なくとも、伝送２１４及び／又は伝送２１４に関連する何らかの１以上のアップリンク及び／又はダウンリンク伝送、例えば、伝送２１４の受信を確認及び／又は了解するための１以上のアップリンク及び／又はダウンリンク伝送の伝送存続期間を含んでよい。
【００５５】
幾つかの実施例において、無線通信ユニット１１２（図１）は、少なくとも１つの送信要求（Request-To-Send）（ＲＴＳ）パケット２１９をグループ１３０（図１）の１又はそれ以上の無線通信装置へ送信することによって、第１のリザベーションスキーム２１２に従って媒体１１０（図１）をリザーブしてよい。ＲＴＳパケット２１９は、リザーブされる時間期間２１５に対応する存続期間値を含んでよい。例えば、ＲＴＳパケット２１９の存続期間フィールドは、リザーブされる時間期間２１５に対応する値を含めるよう無線通信ユニット１１２（図１）によって設定されてよい。
【００５６】
幾つかの実施例において、無線通信ユニット１１２（図１）は、グループ１３０（図１）の無線通信装置へアドレッシングされるＲＴＳパケット２１９を送信してよい。例えば、無線通信ユニット１１２（図１）は、例えば上述されたように無線通信装置１０４、１０６及び／又は１０７にグループアドレスを知らせた後に、グループ１３０へ割り当てられるグループアドレスを含むＲＴＳパケット２１９を送信してよい。
【００５７】
幾つかの実施例において、無線通信ユニット１１２（図１）は、例えば、ＲＴＳパケット２１９に応答して、グループ１３０（図１）の１又はそれ以上の無線通信装置から１又はそれ以上の送信許可（Clear-To-Send）（ＣＴＳ）パケットを受信してよい。例えば、無線通信ユニット１１２（図１）は、無線通信装置１０４（図１）からの第１のＣＴＳパケット２２２と、無線通信装置１０６（図１）からの第２のＣＴＳパケット２２４とを受信してよい。図２において示されるように、一例において、無線通信ユニット１１２（図１）は、グループ１３０（図１）の１又はそれ以上の無線通信装置から（例えば、無線通信装置１０７（図１）から）は、例えばコリジョン、干渉及び／又はその他の理由のために、ＣＴＳパケットを受信できない。
【００５８】
図２において示されるように、幾つかの実施例において、ＣＴＳパケット２２２及び２２４は、略同時に無線通信装置１０４及び１０６（図１）によって送信されてよく、且つ／あるいは、ＣＴＳパケット２２２及び２２４は、例えば、無線通信装置１０４及び／又は１０６がアップリンクＳＤＭＡ伝送をサポートする場合に、無線通信ユニット１１２（図１）によって略同時に受信されてよい。
【００５９】
幾つかの実施例において、ＣＴＳパケット２２２及び２２４は、互いに同じであってよい。例えば、無線通信装置１０４及び１０６は両方とも、共通のスクランブルＳＥＥＤ、例えば、ＲＴＳパケット２１９のスクランブルＳＥＥＤを用いて、ＣＴＳパケット２２２及び２２４を夫々生成してよい。
【００６０】
幾つかの実施例において、無線通信ユニット１１２（図１）は、ＣＴＳパケット２２２及び２２４を受信しデコードしてよい。グループ１３０（図１）に属していないシステム１００（図１）の無線通信装置、例えば、無線通信装置１０８（図１）は、ＣＴＳパケット２２２及び／又は２２４を受信してよい。ＣＴＳパケット２２２及び２２４は互いに同じであるから、無線通信装置１０８は、例えばパケット２２２及び２２４がマルチパス効果により得られたと仮定して、ＣＴＳパケット２２２及び２２４をデコードしてよい。
【００６１】
幾つかの実施例において、ＣＴＳパケット２２２及び／又は２２４を受信するシステム１００（図１）の他の無線通信装置、例えば、グループ１３０（図１）の無線通信装置（例えば、無線通信装置１０７）及び／又はグループ１３０（図１）に含まれない無線通信装置（例えば、無線通信装置１０８（図１））は、リザーブされる時間期間２１５の間、無線通信媒体１１０（図１）を介した送信の実行を回避してよい。
【００６２】
幾つかの実施例において、無線通信ユニット１１２（図１）は、伝送２１４をグループ１３０の２又はそれ以上の無線通信装置（２又はそれ以上のアドレッシングされた装置）へ同時に送信してよい。それらの２又はそれ以上のアドレッシングされた装置は、無線通信ユニット１１２（図１）が２又はそれ以上のＣＴＳパケットを夫々受信したグループ１３０（図１）の２又はそれ以上の無線通信装置を含んでよい。例えば、無線通信ユニット１１２（図１）がＣＴＳパケット２２２及び２２４を受信する場合に、無線通信ユニット１１２（図１）は、例えば、ＣＴＳパケットが無線通信ユニット１１２（図１）によって受信されなかった無線通信装置１０７（図１）に向けられたデータパケットＤＡＴＡ３を含めることなく、無線通信装置１０４及び１０６に夫々向けられたデータパケットＤＡＴＡ１及びＤＡＴＡ２を含む伝送２１４を送信してよい。
【００６３】
幾つかの実施例において、無線通信ユニット１１２（図１）は、リザーブされる時間期間２１５に対応する存続期間値を含むデータパケット２１８をグループ１３０の無線通信装置の少なくとも１つ、例えば、無線通信装置１０７（図１）へ送信することによって、第２のリザベーションスキーム２１０に従って媒体１１０（図１）をリザーブしてよい。例えば、データパケット２１８の存続期間フィールドは、リザーブされる時間期間２１５に対応する値を含めるよう無線通信ユニット１１２（図１）によって設定されてよい。無線通信装置１０７（図１）は、適切な確認応答（acknowledgement）（ＡＣＫ）パケット２２０により応答してよい。結果として、データパケット２１８及び／又はＡＣＫ２２０を受信するシステム１００の他の無線通信装置、例えば、グループ１３０（図１）の無線通信装置（例えば、無線通信装置１０４及び／又は１０６）及び／又はグループ１３０に含まれない無線通信装置（例えば、無線通信装置１０８（図１））は、リザーブされる時間期間２１５の間、無線通信媒体１１０（図１）を介した送信の実行を回避してよい。
【００６４】
幾つかの実施例において、無線通信ユニット１１２（図１）は、伝送２１４をグループ１３０（図１）の２又はそれ以上のアドレッシングされた無線通信装置へ同時に送信してよい。例えば、無線通信ユニット１１２（図１）は、無線通信装置１０４、１０６及び１０７へのデータパケットＤＡＴＡ１、ＤＡＴＡ２及びＤＡＴＡ３の夫々の同時の伝送を含む伝送２１４を送信してよい。
【００６５】
幾つかの実施例において、無線通信ユニット１１２（図１）は、少なくとも１つのブロックＡＣＫ要求（Block-Acknowledgement-Request）（ＢＡＲ）２１６を２又はそれ以上のアドレッシングされた装置へ送信してよい。一実施形態において、無線通信ユニット１１２（図１）は、２又はそれ以上のアドレッシングされた装置へダウンリンクＳＤＭＡ伝送の一部としてＢＡＲ２１６を同時に送信してよい。他の実施形態では、無線通信ユニット１１２（図１）は、２又はそれ以上のアドレッシングされた装置へ夫々２又はそれ以上の別々のユニキャスト伝送の一部としてＢＡＲ２１６を送信してよい。
【００６６】
幾つかの実施例において、無線通信ユニット１１２（図１）は、２又はそれ以上のアドレッシングされた装置から２又はそれ以上の夫々のブロックＡＣＫ（ＢＡ）を受信してよい。例えば、無線通信ユニット１１２（図１）は、無線通信ユニット１１２（図１）へダウンリンクＳＤＭＡ伝送の一部としてＢＡＲ２１６を送信してよく、それに応答して、無線通信ユニット１１２（図１）は、無線通信装置１０４（図１）からＢＡ２３２を、無線通信装置１０６（図１）からＢＡ２３４を、及び／又は無線通信装置１０７（図１）からＢＡ２３６を受信してよい。
【００６７】
図２において示されるように、無線通信装置１０４、１０６及び／又は１０７（図１）は、アップリンクＳＤＭＡ伝送を実行することが可能であってよい。例えば、図２において示されるように、ＣＴＳパケット２２２及び２２４は、略同時に無線通信装置１０４及び１０６によって送信されてよく。ＣＴＳパケット２２２及び２２４は、略同時に無線通信ユニット１１２（図１）によって受信されてよく、ＢＡ２３２、ＢＡ２３４及びＢＡ２３６は、略同時に夫々無線通信装置１０４、１０６及び１０７によって送信されてよく、且つ／あるいは、ＢＡ２３２及び２３４は、略同時に無線通信ユニット１１２（図１）によって受信されてよい。なお、他の実施形態では、無線通信装置１０４、１０６及び／又は１０７からのアップリンク伝送は、例えば後述されるように、順次実行されてよい。
【００６８】
幾つかの実施例において、無線通信ユニット１１２（図１）は、例えば無線通信装置１０４、１０６及び／又は１０７がＳＤＭＡアップリンク伝送をサポートしない場合に、無線通信装置１０４、１０６及び／又は１０７（図１）が無線通信ユニット１１２（図１）からの伝送に応答する順序（応答順序）を決定してよい。無線通信ユニット１１２は、例えば、上記のグループ割り当てフレームを用いて、無線通信装置１０４、１０６及び／又は１０７に応答順序を知らせてよい。他の実施形態では、無線通信装置１０４、１０６及び／又は１０７（図１）が無線通信ユニット１１２（図１）からの伝送に応答する応答順序は、あらゆる他の適切な基準及び／又は考えに従って決定され且つ／あるいは無線通信装置１０４、１０６及び／又は１０７（図１）へ与えられてよい。
【００６９】
幾つかの実施例において、例えば応答順序に従って、無線通信装置１０４及び／又は１０６（図１）は、夫々のＣＴＳパケット２２２及び２２４を順次送信してよく、且つ／あるいは、無線通信装置１０４、１０６及び／又は１０７（図１）は、夫々のＢＡパケット２３２、２３４及び２３６を順次送信してよい。例えば、無線通信ユニット１１２（図１）は、ＣＴＳパケット２２２及び２２４を夫々送信するために第１の応答期間を無線通信装置１０４（図１）へ及び第１の応答期間に続く第２に応答期間を無線通信装置１０６へ割り当ててよい。例えば、第２の応答期間の開始は、ＣＴＳパケット送信及びＳＩＦＳ（short-inter-frame-space）期間の総合した存続期間及び／又はその他の時間期間だけ、第１の応答期間の開始に対して遅延されてよい。然るに、無線通信装置１０４（図１）は、第１の応答期間の間ＣＴＳパケット２２２を送信してよく、無線通信装置１０６（図１）は、第２の時間期間の間ＣＴＳパケット２２４を送信してよく、それにより、ＣＴＳパケット２２２及び２２４の送信は重ならない。同様に、無線通信装置１０６（図１）が無線通信装置１０４（図１）の後に応答し、無線通信装置１０７（図１）が無線通信装置１０６（図１）の後に応答することを応答順序が定義する場合に、無線通信装置１０６（図１）は、ＢＡ２３２の送信の開始後に、例えばＢＡ送信及びＳＩＦＳの総合した存続期間に等しいＢＡ遅延で、ＢＡ２３４の送信を開始してよく、且つ／あるいは、無線通信装置１０７（図１）は、ＢＡ２３４の送信の開始後のＢＡ遅延でＢＡ２３６の送信を開始してよい。然るに、無線通信装置１０４、１０６及び／又は１０７（図１）は、ＢＡ２３２、２３４及び２３６の送信が重ならないように、ＢＡ２３２、２３４及び／又は２３６を順次送信してよい。
【００７０】
幾つかの実施例において、無線通信ユニット１１２（図１）は、伝送２１４の１又はそれ以上において、例えば、伝送２１４の夫々において、伝送２１４の最長伝送の存続期間のインジケーションを含めてよい。例えば、無線通信ユニット１１２（図１）は、データパケットＤＡＴＡ１、ＤＡＴＡ２及びＤＡＴＡ３の中で最も長いものの存続期間のインジケーションを、データパケットＤＡＴＡ１、ＤＡＴＡ２及びＤＡＴＡ３の夫々に含めてよい。一例において、伝送２１４はＡＭＰＤＵを含み、無線通信ユニット１１２（図１）は、ＡＭＰＤＵの夫々１つにおいて、例えばＬ−ＳＩＧフィールドにおいて、最長のＡＭＰＤＵの存続期間のインジケーションを含めてよい。然るに、無線通信装置１０４、１０６及び１０７（図１）の夫々は、伝送２１４が終了する時を決定してよい。伝送２１４の終了時に、無線通信装置１０４、１０６及び／又は１０７（図１）は、例えばＢＡＲ２１６を受信する必要なしに、ＢＡ２３２、２３４及び／又は２３６を夫々送信してよい。無線通信装置１０４、１０６及び／又は１０７（図１）は、上述されたように、例えばアップリンクＳＤＭＡがサポートされる場合には、同時に、あるいは、例えばアップリンクＳＤＭＡがサポートされない場合には、順次的に、ＢＡ２３２、２３４及び／又は２３６を夫々送信してよい。
【００７１】
幾つかの実施例において、無線通信ユニット１１２（図１）は、グループ１３０（図１）の一部の無線通信装置（例えば、選択された装置）にのみ向けられた拡張（Extended）ＲＴＳ（ＥＲＴＳ）の形で、ＲＴＳパケット２１９を送信してよい。例えば、選択された装置へのトラフィックを無線通信ユニット１１２（図１）はバッファリングしている。また、ＥＲＴＳパケットは、選択された装置の応答順序を示してよい。然るに、無線通信ユニット１１２（図１）は、例えば応答順序に従って、選択された装置からのみＣＴＳパケットを受信し、目的とする装置へ伝送２１４を送信してよい。無線通信ユニット１１２（図１）は、選択された装置からのＢＡ伝送のみをスケジューリングするよう、拡張ＢＡＲ（ＥＢＡＲ）を送信してよい。
【００７２】
再び図１を参照すると、幾つかの実施例において、無線通信ユニット１１２は、２又はそれ以上の装置１０４、１０６及び／又は１０７との少なくとも１つの同時の伝送の交換を含むビームフォーミング・トレーニングシーケンスを実行することによって、装置１０４、１０６及び／又は１０７との通信のためのビームフォーミング（ＢＦ）方式を決定してよい。ビームフォーミング・トレーニングシーケンスは、例えば後述されるように、暗黙的な（implicit）ビームフォーミングシーケンス及び／又は明示的な（explicit）ビームフォーミングシーケンスを含んでよい。
【００７３】
また、図３を参照する。図３は、幾つの実施例に従って、無線通信装置（例えば、無線通信装置１０２（図１）及び／又は無線通信ユニット１１２（図１））と他の無線通信のグループ（例えば、グループ１３０）との間の送信の他のシーケンスを概略的に表す。
【００７４】
図３において示されるように、時間線３０２は、無線通信装置（例えば、無線通信ユニット１１２（図１））による送信を含み、時間線３０４は、グループの第１の無線通信装置（例えば、無線通信装置１０４（図１））による送信を含み、時間線３０６は、グループの第２の無線通信装置（例えば、無線通信装置１０６（図１））による送信を含み、時間線３０８は、グループの第３の無線通信装置（例えば、無線通信装置１０７（図１））による送信を含む。
【００７５】
幾つかの実施例において、無線通信ユニット１１２（図１）は、少なくとも１つのビームフォーミング・トレーニング開始フレーム３１０をグループ１３０の２又はそれ以上の無線通信装置へ送信してよい。無線通信ユニット１１２（図１）は、それらの２又はそれ以上の無線通信装置から２又はそれ以上のフィードバックフレームを受信してよい。例えば、無線通信ユニット１１２（図１）は、無線通信装置１０４、１０６及び／又は１０７からフィードバックフレーム３１２、３１４及び／又は３１６を夫々受信してよい。
【００７６】
幾つかの実施例において、無線通信ユニット１１２（図１）は、２又はそれ以上のフィードバックフレームに基づき２又はそれ以上のビームフォーミング方式を決定してよい。例えば、無線通信ユニット１１２（図１）は、フィードバックフレーム３１２、３１４及び／又は３１６に基づき無線通信装置１０４、１０６及び／又は１０７（図１）と通信するために使用されるビームフォーミング方式を夫々決定するよう、あらゆる適切なビームフォーミング・トレーニング及び／又は検出方法を実施してよい。
【００７７】
幾つかの実施例において、開始フレーム３１０並びにフィードバックフレーム３１２、３１４及び／又は３１６は、暗黙的なビームフォーミング・トレーニングシーケンスの一部として交換されてよい。例えば、開始フレーム３１０は、トレーニング要求（Training  Request）（ＴＱＳ）（サウンディング要求とも呼ばれる。）を含んでよく、且つ／あるいは、フィードバックフレーム３１２、３１４及び／又は３１６は、適切なチャネル・サウンディングフレームを含んでよい。一実施形態において、開始フレーム３１０は、あらゆる適切な管理、制御及び／又はデータフレームを含んでよく、該フレームは、開始フレーム３１０がＴＲＱとして扱われるべきことを示す所定の値（例えば、１）に設定されたＴＲＱビットを含んでよい。
【００７８】
幾つかの実施例において、開始フレーム３１０並びにフィードバックフレーム３１２、３１４及び／又は３１６は、明示的なビームフォーミング・トレーニングシーケンスの一部として交換されてよい。例えば、開始フレーム３１０は、適切なチャネル・サウンディングフレームを含んでよく、且つ／あるいは、フィードバックフレーム３１２、３１４及び／又は３１６は、サウンディングフレームに応答してビームフォーミング・フィードバックフレームを含んでよい。
【００７９】
幾つかの実施例において、無線通信ユニット１１２（図１）は、例えば上述されたようにグループ１３０（図１）に割り当てられるグループアドレスを含む開始フレーム３１０を送信してよい。開始フレーム３１０は、例えば、フィードバックフレーム３１２、３１４及び／又は３１６が順次送信される順序を無線通信装置１０４、１０６及び／又は１０７（図１）に知らせるよう、例えば上述されたようにグループ１３０（図１）の無線通信装置へ割り当てられる応答順序を含む拡張フレーム（例えば、拡張ＴＲＱ（ＥＴＲＱ））の形で、送信されてよい。無線通信装置１０４、１０６及び／又は１０７（図１）は、適切なサウンディングフレームを含むフィードバックフレーム３１２、３１４及び／又は３１６を送信することによって、開始フレーム３１０に応答してよい。
【００８０】
幾つかの実施例において、無線通信ユニット１１２（図１）は、例えばユニキャスト伝送の一部として、無線通信装置１０４、１０６及び／又は１０７の夫々へ個々の開始フレーム３１０を送信してよい。
【００８１】
幾つかの実施例において、無線通信ユニット１１２（図１）は、２又はそれ以上のビームフォーミング方式を夫々用いて、２又はそれ以上の異なる無線通信伝送３１８を２又はそれ以上の無線通信装置へ夫々送信してよい。例えば、無線通信ユニット１１２（図１）は、例えば上述されたようにＳＤＭＡ伝送の一部として、伝送３１８を送信してよい。一例において、無線通信ユニット１１２（図１）は、例えば上述されたように、伝送３１８の後にＢＡＲ３２０を送信し、且つ／あるいは、ＢＡＲ３２０に応答してＢＡ３２２、３２４及び／又は３２６を受信してよい。
【００８２】
図４を参照する。図４は、幾つかの実施例に従う、無線通信装置のグループと同時に通信する方法を概略的に表す。幾つかの実施形態において、図４の方法の１又はそれ以上の動作は、システム１００（図１）、及び／又は装置１０２、１０４、１０６及び／又は１０７（図１）の１又はそれ以上によって実行されてよい。
【００８３】
ブロック４０２で示されるように、方法は、無線通信ユニットによって、時間期間に無線通信媒体をリザーブするステップを含んでよい。例えば、無線通信ユニット１１２（図１）は、例えば上述されたように、無線通信媒体１１０（図１）をリザーブしてよい。
【００８４】
ブロック４０６で示されるように、幾つかの実施形態において、無線通信媒体をリザーブするステップは、少なくとも１つのＲＴＳパケットをグループの１又はそれ以上の無線通信装置へ送信するステップを含んでよく、ＲＴＳパケットは、リザーブされる時間期間に対応する存続期間値を含む。例えば、無線通信ユニット１１２（図１）は、例えば上述されたように、ＲＳＴパケット２１９（図２）を送信してよい。ＲＴＳパケットは、例えば上述されたように、無線通信装置のグループに割り当てられるグループアドレスを含んでよい。
【００８５】
ブロック４０８で示されるように、方法は、ＲＴＳパケットに応答して、２又はそれ以上の無線通信装置から２又はそれ以上のＣＴＳパケットを受信した後、伝送を２又はそれ以上の無線通信装置へ送信するステップを含んでよい。例えば、無線通信ユニット１１２（図１）は、例えば上述されたように、ＣＴＳパケット２２２及び２２４（図２）を受信した後、伝送２１４（図２）を送信してよい。２又はそれ以上のＣＴＳパケットは、例えば上述されたように、同じであってよい。
【００８６】
ブロック４１０で示されるように、幾つかの実施形態において、無線通信媒体をリザーブするステップは、データパケットをグループの少なくとも１つの無線通信装置へ送信するステップを含んでよく、データパケットは、リザーブされる時間期間に対応する存続期間値を含む。例えば、無線通信ユニット１１２（図１）は、例えば上述されたように、データパケット２１８（図２）を送信してよい。
【００８７】
ブロック４０４で示されるように、方法は、リザーブされる時間期間の間、２又はそれ以上の異なる無線通信伝送を無線通信ユニットから複数の通信装置のグループの２又はそれ以上の無線通信装置へ略同時に送信するステップを含んでよい。例えば、無線通信ユニット１１２（図１）は、例えば上述されたように、リザーブされる時間期間の間、伝送２１４（図２）をグループ１３０（図１）の２又はそれ以上の無線通信装置へ送信してよい。
【００８８】
ブロック４１２で示されるように、幾つかの実施形態において、方法は、グループの無線通信装置と通信するためのビームフォーミング方式を決定するステップを含んでよい。
【００８９】
ブロック４１４で示されるように、方法は、少なくとも１つのビームフォーミング・トレーニング開始フレームを無線通信ユニットから無線通信装置のグループへ送信するステップを含んでよい。例えば、無線通信ユニット１１２（図１）は、例えば上述されたように、フレーム３１０（図３）を送信してよい。
【００９０】
ブロック４１６で示されるように、方法は、無線通信ユニットで２又はそれ以上のフィードバックフレームを２又はそれ以上の無線通信装置から受信するステップを含んでよい。例えば、無線通信ユニット１１２（図１）は、例えば上述されたように、フレーム３１２、３１４及び／又は３１６を受信してよい。
【００９１】
ブロック４１８で示されるように、方法は、２又はそれ以上のフィードバックフレームに基づき２又はそれ以上のビームフォーミング方式を決定するステップを含んでよい。例えば、無線通信ユニット１１２（図１）は、例えば上述されたように、フレーム３１２、３１４及び／又は３１６に基づき、無線通信装置１０４、１０６及び／又は１０７（図１）と通信するために夫々用いられるビームフォーミング方式を決定してよい。
【００９２】
ブロック４２０で示されるように、方法は、２又はそれ以上のビームフォーミング方式を夫々用いて、２又はそれ以上の異なる無線通信伝送を２又はそれ以上の無線通信装置へ夫々送信するステップを含んでよい。例えば、無線通信ユニット１１２（図１）は、例えば上述されたように、無線通信装置１０４、１０６及び／又は１０７（図１）に対応するビームフォーミング方式を用いて伝送３１８（図３）を送信してよい。
【００９３】
図５を参照する。図５は、幾つかの実施例に従う製品５００を概略的に表す。製品５００は、ロジック５０４を記憶する機械読取可能な媒体５０２を含んでよい。ロジック５０４は、例えば、無線通信ユニット１１２（図１）の機能の少なくとも一部を実行するために及び／又は図４の方法の１又はそれ以上の動作を実行するために、使用されてよい。
【００９４】
幾つかの実施例において、製品５００及び／又は機械読取可能な媒体５０２は、揮発性メモリ、非揮発性メモリ、リムーバブル又は非リムーバブルメモリ、消去可能又は消去不可能メモリ、書込可能又は書換可能メモリ、等を含め、データを記憶可能な１又はそれ以上のタイプのコンピュータ読取可能な記憶媒体を含んでよい。例えば、機械読取可能な媒体５０２は、ＲＡＭ、ＤＲＡＭ、ダブルデータレートＤＲＡＭ（ＤＤＲ−ＤＲＡＭ）、ＳＤＲＡＭ、静的ＲＡＭ（ＳＲＡＭ）、ＲＯＭ、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、コンパクトディスクＲＯＭ（ＣＤ−ＲＯＭ）、コンパクトディスク・リコーダブル（ＣＤ−Ｒ）、コンパクトディスク・リライタブル（ＣＤ−ＲＷ）、フラッシュメモリ（例えば、ＮＯＲ又はＮＡＤフラッシュメモリ）、コンテンツアドレス可能メモリ（ＣＡＭ）、ポリマーメモリ、相変化メモリ、強誘電性メモリ、ＳＯＮＯＳ（silicon-oxide-nitride-oxide-silicon）メモリ、ディスク、フロッピー（登録商標）ディスク、ハードドライブ、光ディスク、磁気ディスク、カード、磁気カード、光学カード、テープ、カセット、等を含んでよい。コンピュータ読取可能な記憶媒体は、通信リンク（例えば、モデム、ラジオ又はネットワーク接続）を通る搬送波又は他の伝播媒体において具現されるデータ信号によって運ばれるコンピュータプログラムを遠隔のコンピュータから要求先のコンピュータへダウンロード又は転送することに関連するあらゆる適切な媒体を含んでよい。
【００９５】
幾つかの実施例において、ロジック５０４は、命令、データ及び／又はコードを含んでよい。これらは、機械によって実行される場合に、その機械に、本願記載される方法、処理及び／又は動作を実行させることができる。機械は、例えば、あらゆる適切な処理プラットフォーム、コンピュータプラットフォーム、コンピュータ装置、処理装置、コンピュータシステム、処理システム、コンピュータ、プロセッサ、等を含んでよく、ハードウェア、ソフトウェア、ファームウェア等のあらゆる適切な組み合わせを用いて実施されてよい。
【００９６】
幾つかの実施例において、ロジック５０４は、ソフトウェア、ソフトウェアモジュール、アプリケーション、プログラム、サブルーチン、命令、命令セット、コンピュータコード、ワード、値、シンボル、等を含んでよく、あるいは、それらのとして実施されてよい。命令は、あらゆる適切なタイプのコード、例えば、ソースコード、コンパイル済みコード、解釈済みコード、実行可能コード、静的コード、動的コード、等を含んでよい。命令は、特定の機能を実行するようプロセッサに命じるために、所定のコンピュータ言語、様式又はシンタックスに従って実施されてよい。命令は、あらゆる適切な高度の、低度の、オブジェクト指向の、視覚的な、コンパイル済み及び／又は解釈済みのプログラミング言語、例えば、Ｃ、Ｃ＋＋、Ｊａｖａ（登録商標）、ＢＡＳＩＣ、Ｍａｔｌａｂ、Ｐａｓｃａｌ、Ｖｉｓｕａｌ  Ｂａｓｉｃ、アセンブリ言語、機械コード、等を用いて実施されてよい。
【００９７】
１又はそれ以上の実施形態を参照して本願で記載される機能、動作、コンポーネント及び／又は特徴は、１又はそれ以上の他の実施形態を参照して本願で記載される１又はそれ以上の他の機能、動作、コンポーネント及び／又は特徴と組み合わされてよく、又はそれらとともに用いられてよい。あるいは、その逆も同様である。
【００９８】
本発明の特定の特徴について本願では図示及び記載されてきたが、多くの改良、置換、変更及び均等は当業者に想到可能である。従って、当然のことながら、添付の特許請求の範囲は、本発明の技術的範囲内にある全ての改良及び変更を網羅するよう意図される。
【図１】
0005607173.tif 000002
【図２】
0005607173.tif 000003
【図３】
0005607173.tif 000004
【図４】
0005607173.tif 000005
【図５】
0005607173.tif 000006